(57)【要約】【課題】監視端末装置の異常検知手段が異常を検知する前監視端末装置等が破壊等されても、監視端末装置の異常を信号受信端末装置に速やかに通知することができる監視システム等を提供すること。【解決手段】監視端末装置１００と管理装置２００と信号受信端末装置３００とを有し、前記監視端末装置は、異常検知手段１５０と応答信号生成発信手段１４０と、を有し、前記管理装置は、第１の異常信号生成手段２０２と、呼び出し信号発信手段２０３と、応答信号判断手段２０６と、第２の異常信号生成手段２０２と、前記第１及び前記第２の異常信号を前記信号受信端末装置に対し発信する異常信号通知手段２０７と、を有する監視システム１０。【選択図】  図１
2004240574.tif 000002
【特許請求の範囲】
【請求項１】
監視対象に配置される監視端末装置と、
前記監視端末装置と信号の授受を行う管理装置と、
前記管理装置からの異常信号を受信する信号受信端末装置と、を有する監視システムであって、
前記監視端末装置は、異常を検知する異常検知手段と、
この異常検知手段の検知信号を前記管理装置に発信する検知信号発信手段と、
前記管理装置の呼び出し信号を受信する呼び出し信号受信手段と、
この呼び出し信号に対応する応答信号を生成し、この応答信号を前記管理装置に発信する応答信号生成発信手段と、を有し、
前記管理装置は、前記監視端末装置からの前記検知信号を受信する検知信号受信手段と、
前記検知信号受信手段で受信した前記検知信号に基づき第１の異常信号を生成する第１の異常信号生成手段と、
前記監視端末装置に対し前記呼び出し信号を発信する呼び出し信号発信手段と
前記監視端末装置からの前記応答信号を受信する応答信号受信手段と、
前記応答信号受信手段で受信可能な前記応答信号の有無を判断する応答信号判断手段と、
前記応答信号判断手段で前記応答信号が非受信と判断されたことに基づき第２の異常信号を生成する第２の異常信号生成手段と、
前記第１及び前記第２の異常信号生成手段で生成された前記第１及び前記第２の異常信号を前記信号受信端末装置に対し発信する異常信号通知手段と、を有することを特徴とする監視システム。
【請求項２】
前記監視端末装置は、位置情報を取得する位置情報取得手段と、
前記位置情報取得手段で取得した位置情報に基づいて監視範囲情報を生成できる監視範囲生成手段と、
前記監視範囲情報を前記管理装置に発信する監視範囲情報発信手段と、
前記位置情報取得手段が取得した位置情報を前記管理装置に発信する位置情報発信手段と、を有し、
前記管理装置は、前記監視範囲情報発信手段で発信される監視範囲情報を受信する監視範囲情報受信手段と、
前記監視範囲情報受信手段で受信された前記監視範囲情報を格納する監視範囲情報格納手段と、
前記位置情報発信手段から発信される位置情報を受信する位置情報受信手段と、
前記位置情報受信手段で受信された前記位置情報を、前記監視範囲情報格納手段内の監視範囲情報と比較し、前記位置情報を前記監視範囲情報に対する関係で判断する監視範囲判断手段と、
前記監視範囲判断手段で判断された前記位置情報が前記監視範囲情報に対して所定の位置関係にあることに基づき第３の異常信号を生成する第３の異常信号生成手段と、を有し、
前記管理装置の前記異常信号通知手段が、前記第３の異常信号を前記信号受信端末装置に対し発信する構成となっていることを特徴とする請求項１に記載の監視システム。
【請求項３】
前記監視端末装置には、当該監視端末装置を監視対象とすべきか否かの監視開始等信号を生成し、発信する監視開始等信号発信等手段が設けられ、
前記管理装置には、前記監視開始等信号を受信し監視開始や監視終了等を判断し指示する監視開始等信号処理手段が設けられていることを特徴とする請求項１又は請求項２に記載の監視システム。
【請求項４】
前記監視開始等信号発信等手段には、パスワード入力手段及び／または鍵挿入手段が設けられていることを特徴とする請求項３に記載の監視システム。
【請求項５】
監視対象に配置される監視端末装置と信号の授受を行い、信号受信端末装置に異常信号を発信する管理装置であって、
前記管理装置は、前記監視端末装置からの検知信号を受信する検知信号受信手段と、
前記検知信号受信手段で受信した前記検知信号に基づき第１の異常信号を生成する第１の異常信号生成手段と、
前記監視端末装置に対し前記呼び出し信号を発信する呼び出し信号発信手段と
前記監視端末装置からの前記応答信号を受信する応答信号受信手段と、
前記応答信号受信手段で受信可能な前記応答信号の有無を判断する応答信号判断手段と、
前記応答信号判断手段で前記応答信号が非受信と判断されたことに基づき第２の異常信号を生成する第２の異常信号生成手段と、
前記第１及び前記第２の異常信号生成手段で生成された前記第１及び前記第２の異常信号を前記信号受信端末装置に対し発信する異常信号通知手段と、を有することを特徴とする管理装置。
【請求項６】
監視対象に配置される前記監視端末装置が異常検知手段で異常を検知する異常検知工程と、
前記監視端末装置の検知信号発信手段が、この異常検知工程で検知した検知信号を前記管理装置に発信する検知信号発信工程と、
前記管理装置の検知信号受信手段が前記検知信号を受信する検知信号受信工程と
前記管理装置の第１の異常信号生成手段が、この検知信号受信工程で受信した前記検知信号に基づき第１の異常信号を生成する第１の異常信号生成工程と、
前記管理装置の異常通信通知手段が第１の異常信号生成手段で生成された第１の異常信号を信号受信端末装置に発信する第１の異常信号通知工程と、
前記管理装置の呼び出し信号発信手段が前記監視端末装置に対し前記呼び出し信号を発信する呼び出し信号発信工程と
前記監視端末装置の呼び出し信号受信手段が前記管理装置の呼び出し信号を受信する呼び出し信号受信工程と、
前記監視端末装置の応答信号生成発信手段が前記呼び出し信号に対応する応答信号を生成し、この応答信号を前記管理装置に発信する応答信号生成発信工程と、
前記管理装置の応答信号受信手段が前記応答信号を受信する応答信号受信工程と、
前記管理装置の前記応答信号判断手段が前記応答信号受信手段で受信可能な前記応答信号の有無を判断する応答信号判断工程と、
前記管理装置の第２の異常信号生成手段が、前記応答信号判断手段で前記応答信号が非受信と判断されたことに基づき第２の異常信号を生成する第２の異常信号生成工程と、
前記管理装置の前記異常信号通知手段が前記第２の異常信号生成手段で生成された前記第２の異常信号を前記信号受信端末装置に対し発信する第２の異常信号通知工程と、を有することを特徴とする監視方法。
【請求項７】
前記監視端末装置の位置情報取得手段が位置情報を取得する位置情報取得工程と、
前記監視端末装置の監視範囲生成手段が前記位置情報取得工程で取得した位置情報に基づいて監視範囲情報を生成する監視範囲生成工程と、
前記監視端末装置の監視範囲情報発信手段が前記監視範囲情報を前記管理装置に発信する監視範囲情報発信工程と、
前記管理装置の監視範囲情報受信手段が、前記監視範囲情報発信工程で発信される監視範囲情報を受信する監視範囲情報受信工程と、
前記管理装置の監視範囲情報格納手段が、前記監視範囲情報受信工程で受信された前記監視範囲情報を格納する監視範囲情報格納工程と、
前記監視端末装置の位置情報発信手段が前記位置情報取得手段が取得した位置情報を前記管理装置に発信する位置情報発信工程と、
前記管理装置の位置情報受信手段が、前記位置情報発信工程で発信する位置情報を受信する位置情報受信工程と、
前記管理装置の監視範囲判断手段が、前記位置情報受信工程で受信された前記位置情報を、前記監視範囲情報格納手段内の監視範囲情報と比較し、前記位置情報を前記監視範囲情報に対する関係で判断する監視範囲判断工程と、
前記管理装置の第３の異常信号生成手段が、前記監視範囲判断工程で判断された前記位置情報が前記監視範囲情報に対して所定の位置関係にあることに基づき第３の異常信号を生成する第３の異常信号生成工程と、を有することを特徴とする請求項６に記載の監視方法。
【請求項８】
監視対象に配置される監視端末装置と信号の授受を行い、信号受信端末装置に異常信号を発信する管理装置の制御方法であって、
前記管理装置の検知信号受信手段が、前記監視端末装置からの検知信号を受信する検知信号受信工程と、
前記管理装置の第１の異常信号生成手段が、前記検知信号受信工程で受信した前記検知信号に基づき第１の異常信号を生成する第１の異常信号生成工程と、
前記管理装置の異常信号通知手段が、前記第１の異常信号生成手段で生成された前記第１の異常信号を前記信号受信端末装置に対し発信する第１の異常信号通知手段と、
前記管理装置の呼び出し信号発信手段が、前記監視端末装置に対し前記呼び出し信号を発信する呼び出し信号発信工程と、
前記管理装置の応答信号受信手段が、前記監視端末装置からの前記応答信号を受信する応答信号受信工程と、
前記管理装置の応答信号判断手段が、前記応答信号受信工程で受信可能な前記応答信号の有無を判断する応答信号判断工程と、
前記管理装置の第２の異常信号生成手段が、前記応答信号判断工程で前記応答信号が非受信と判断されたことに基づき第２の異常信号を生成する第２の異常信号生成工程と、
前記管理装置の異常信号通知手段が、前記第２の異常信号生成工程で生成された前記第２の異常信号を前記信号受信端末装置に対し発信する第２の異常信号通知工程と、を有することを特徴とする管理装置の制御方法。
【請求項９】
コンピュータに、監視対象に配置される前記監視端末装置の異常検知手段が異常を検知する異常検知工程と、
前記監視端末装置の検知信号発信手段が、この異常検知工程で検知した検知信号を前記管理装置に発信する検知信号発信工程と、
前記管理装置の検知信号受信手段が前記検知信号を受信する検知信号受信工程と
前記管理装置の第１の異常信号生成手段が、この検知信号受信工程で受信した前記検知信号に基づき第１の異常信号を生成する第１の異常信号生成工程と、
前記管理装置の異常通信通知手段が第１の異常信号生成手段で生成された第１の異常信号を信号受信端末装置に発信する第１の異常信号通知工程と、
前記管理装置の呼び出し信号発信手段が前記監視端末装置に対し前記呼び出し信号を発信する呼び出し信号発信工程と
前記監視端末装置の呼び出し信号受信手段が前記管理装置の呼び出し信号を受信する呼び出し信号受信工程と、
前記監視端末装置の応答信号生成発信手段が前記呼び出し信号に対応する応答信号を生成し、この応答信号を前記管理装置に発信する応答信号生成発信工程と、
前記管理装置の応答信号受信手段が前記応答信号を受信する応答信号受信工程と、
前記管理装置の前記応答信号判断手段が前記応答信号受信手段で受信可能な前記応答信号の有無を判断する応答信号判断工程と、
前記管理装置の第２の異常信号生成手段が、前記応答信号判断手段で前記応答信号が非受信と判断されたことに基づき第２の異常信号を生成する第２の異常信号生成工程と、
前記管理装置の前記異常信号通知手段が前記第２の異常信号生成手段で生成された前記第２の異常信号を前記信号受信端末装置に対し発信する第２の異常信号通知工程と、を実行させるための監視プログラム。
【請求項１０】
コンピュータに、監視対象に配置される監視端末装置と信号の授受を行い、信号受信端末装置に異常信号を発信する管理装置の制御方法であって、
前記管理装置の検知信号受信手段が、前記監視端末装置からの検知信号を受信する検知信号受信工程と、
前記管理装置の第１の異常信号生成手段が、前記検知信号受信工程で受信した前記検知信号に基づき第１の異常信号を生成する第１の異常信号生成工程と、
前記管理装置の異常信号通知手段が、前記第１の異常信号生成手段で生成された前記第１の異常信号を前記信号受信端末装置に対し発信する第１の異常信号通知手段と、
前記管理装置の呼び出し信号発信手段が、前記監視端末装置に対し前記呼び出し信号を発信する呼び出し信号発信工程と、
前記管理装置の応答信号受信手段が、前記監視端末装置からの前記応答信号を受信する応答信号受信工程と、
前記管理装置の応答信号判断手段が、前記応答信号受信工程で受信可能な前記応答信号の有無を判断する応答信号判断工程と、
前記管理装置の第２の異常信号生成手段が、前記応答信号判断工程で前記応答信号が非受信と判断されたことに基づき第２の異常信号を生成する第２の異常信号生成工程と、
前記管理装置の異常信号通知手段が、前記第２の異常信号生成工程で生成された前記第２の異常信号を前記信号受信端末装置に対し発信する第２の異常信号通知工程と、を実行させるための管理装置の制御プログラム。
【請求項１１】
コンピュータに、監視対象に配置される前記監視端末装置の異常検知手段が異常を検知する異常検知工程と、
前記監視端末装置の検知信号発信手段が、この異常検知工程で検知した検知信号を前記管理装置に発信する検知信号発信工程と、
前記管理装置の検知信号受信手段が前記検知信号を受信する検知信号受信工程と
前記管理装置の第１の異常信号生成手段が、この検知信号受信工程で受信した前記検知信号に基づき第１の異常信号を生成する第１の異常信号生成工程と、
前記管理装置の異常通信通知手段が第１の異常信号生成手段で生成された第１の異常信号を信号受信端末装置に発信する第１の異常信号通知工程と、
前記管理装置の呼び出し信号発信手段が前記監視端末装置に対し前記呼び出し信号を発信する呼び出し信号発信工程と
前記監視端末装置の呼び出し信号受信手段が前記管理装置の呼び出し信号を受信する呼び出し信号受信工程と、
前記監視端末装置の応答信号生成発信手段が前記呼び出し信号に対応する応答信号を生成し、この応答信号を前記管理装置に発信する応答信号生成発信工程と、
前記管理装置の応答信号受信手段が前記応答信号を受信する応答信号受信工程と、
前記管理装置の前記応答信号判断手段が前記応答信号受信手段で受信可能な前記応答信号の有無を判断する応答信号判断工程と、
前記管理装置の第２の異常信号生成手段が、前記応答信号判断手段で前記応答信号が非受信と判断されたことに基づき第２の異常信号を生成する第２の異常信号生成工程と、
前記管理装置の前記異常信号通知手段が前記第２の異常信号生成手段で生成された前記第２の異常信号を前記信号受信端末装置に対し発信する第２の異常信号通知工程と、を実行させるための監視プログラムを記録したコンピュータ読み取り可能な記録媒体。
【請求項１２】
コンピュータに、監視対象に配置される監視端末装置と信号の授受を行い、信号受信端末装置に異常信号を発信する管理装置の制御方法であって、
前記管理装置の検知信号受信手段が、前記監視端末装置からの検知信号を受信する検知信号受信工程と、
前記管理装置の第１の異常信号生成手段が、前記検知信号受信工程で受信した前記検知信号に基づき第１の異常信号を生成する第１の異常信号生成工程と、
前記管理装置の異常信号通知手段が、前記第１の異常信号生成手段で生成された前記第１の異常信号を前記信号受信端末装置に対し発信する第１の異常信号通知手段と、
前記管理装置の呼び出し信号発信手段が、前記監視端末装置に対し前記呼び出し信号を発信する呼び出し信号発信工程と、
前記管理装置の応答信号受信手段が、前記監視端末装置からの前記応答信号を受信する応答信号受信工程と、
前記管理装置の応答信号判断手段が、前記応答信号受信工程で受信可能な前記応答信号の有無を判断する応答信号判断工程と、
前記管理装置の第２の異常信号生成手段が、前記応答信号判断工程で前記応答信号が非受信と判断されたことに基づき第２の異常信号を生成する第２の異常信号生成工程と、
前記管理装置の異常信号通知手段が、前記第２の異常信号生成工程で生成された前記第２の異常信号を前記信号受信端末装置に対し発信する第２の異常信号通知工程と、を実行させるための管理装置の制御プログラムを記録したコンピュータ読み取り可能な記録媒体。
【発明の詳細な説明】
【０００１】
【発明の属する技術分野】
本発明は、監視対象に配置される監視端末装置を管理装置が監視し、その異常を信号受信端末装置に通知する監視システム、管理装置、監視方法、管理装置の制御方法、監視プログラム、管理装置の制御プログラム、監視プログラムを記録したコンピュータ読み取り可能な記録媒体、管理装置の制御プログラムを記録したコンピュータ読み取り可能な記録媒体に関するものである。
【０００２】
【従来の技術】
従来より、盗難監視システムが利用されている。この盗難監視システムは、自動車等に配置される監視端末装置である例えば盗難監視端末を有している。この盗難監視端末は異常検知手段である例えばセンサを有しており、このセンサが異常を検知すると、盗難監視端末は、その異常信号を管理装置である例えば盗難監視サーバに通知する構成となっている。
また、盗難監視サーバは、この盗難監視端末からの異常信号を受信すると、盗難監視端末に異常があったと判断して、自動車等の持ち主等の信号受信端末装置である例えば自宅の電話等に異常を通知する構成となっている（例えば、特許文献１参照）。
【０００３】
【特許文献１】
特開２００１−１４５７５号公報
【０００４】
【発明が解決しようとする課題】
しかし、窃盗犯等が、自動車等に配置されている盗難監視端末のセンサに検知されないように盗難監視端末自体を破壊等する場合がある。
この場合は、センサが異常信号を発信する前に、盗難監視端末自体が破壊等されてしまうので、前記盗難監視サーバが異常信号を受信せず、このため、自動車等の持ち主等にも異常を通知できず、盗難監視システムが十分に機能しないという問題があった。
【０００５】
本発明は、以上の点に鑑み、監視端末装置の異常検知手段が異常を検知する前監視端末装置等が破壊等されても、監視端末装置の異常を信号受信端末装置に速やかに通知することができる監視システム、管理装置、監視方法、管理装置の制御方法、監視プログラム、管理装置の制御プログラム、監視プログラムを記録したコンピュータ読み取り可能な記録媒体、管理装置の制御プログラムを記録したコンピュータ読み取り可能な記録媒体を提供することを目的とする。
【０００６】
【課題を解決するための手段】
前記目的は、本発明によれば、監視対象に配置される監視端末装置と、前記監視端末装置と信号の授受を行う管理装置と、前記管理装置からの異常信号を受信する信号受信端末装置と、を有する監視システムであって、前記監視端末装置は、異常を検知する異常検知手段と、この異常検知手段の検知信号を前記管理装置に発信する検知信号発信手段と、前記管理装置の呼び出し信号を受信する呼び出し信号受信手段と、この呼び出し信号に対応する応答信号を生成し、この応答信号を前記管理装置に発信する応答信号生成発信手段と、を有し、前記管理装置は、前記監視端末装置からの前記検知信号を受信する検知信号受信手段と、前記検知信号受信手段で受信した前記検知信号に基づき第１の異常信号を生成する第１の異常信号生成手段と、前記監視端末装置に対し前記呼び出し信号を発信する呼び出し信号発信手段と、前記監視端末装置からの前記応答信号を受信する応答信号受信手段と、前記応答信号受信手段で受信可能な前記応答信号の有無を判断する応答信号判断手段と、前記応答信号判断手段で前記応答信号が非受信と判断されたことに基づき第２の異常信号を生成する第２の異常信号生成手段と、前記第１及び前記第２の異常信号生成手段で生成された前記第１及び前記第２の異常信号を前記信号受信端末装置に対し発信する異常信号通知手段と、を有することを特徴とする監視システムにより達成される。
【０００７】
前記構成によれば、前記監視端末装置は、異常を検知する異常検知手段と、  この異常検知手段の検知信号を前記管理装置に発信する検知信号発信手段とを有する。
また、前記管理装置は、前記監視端末装置からの前記検知信号を受信する検知信号受信手段と、前記検知信号受信手段で受信した前記検知信号に基づき第１の異常信号を生成する第１の異常信号生成手段とを有する。
さらに、前記第１の異常信号生成手段で生成された前記第１の異常信号を前記信号受信端末装置に対し発信する異常信号通知手段とを有している。
このため、前記異常検知手段が異常を検知すると、前記検知信号は前記管理装置に発信され、前記管理装置は前記検知信号を受信し第１の異常信号として前記信号受信端末装置に発信される。
したがって、例えば自動車等に配置された前記監視端末装置が検知した異常は、前記管理装置を介して、例えば自動車の所有者等が所持する前記信号受信端末装置に通知されるので、自動車の所有者等に速やかに自己の自動車等に異常があったことを通知することができる。
【０００８】
また、前記構成によれば、前記管理装置は、前記監視端末装置に対し呼び出し信号を発信する呼び出し信号発信手段と、前記監視端末装置からの前記応答信号を受信する応答信号受信手段と、前記応答信号受信手段で受信可能な前記応答信号の有無を判断する応答信号判断手段と、前記応答信号判断手段で前記応答信号が非受信と判断されたことに基づき第２の異常信号を生成する第２の異常信号生成手段と、前記第２の異常信号生成手段で生成された前記第２の異常信号を前記信号受信端末装置に対し発信する異常信号通知手段と、を有している。
そして、前記監視端末装置は、前記管理装置の前記呼び出し信号を受信する呼び出し信号受信手段と、この呼び出し信号に対応する応答信号を生成し、この応答信号を前記管理装置に発信する応答信号生成発信手段と、を有している。
このため、前記監視端末装置が前記検知信号を発信しない場合でも、この監視端末装置と前記管理装置との間には呼び出し信号と応答信号とで相互に交信している。
ところで、例えば、前記異常検知手段が検知信号を発する前に前記監視端末装置が破壊等された場合は、前記管理装置は前記検知信号を受信できない。
しかし、本発明では、前記監視端末装置から前記応答信号が発信されないこと、すなわち、応答信号の非受信を前記管理装置の前記応答信号判断手段が判断し、前記第２の異常信号を前記異常信号通知手段が前記信号受信端末装置に対し発信する。
したがって、例え前記検知信号が発信される前に、自動車等に配置された前記監視端末装置が破壊等されても、前記管理装置は前記応答信号がないことから前記第２の異常信号を生成し、異常があったことを自動車に所有者等に速やかに通知することができる。
【０００９】
好ましくは、前記監視端末装置は、位置情報を取得する位置情報取得手段と、前記位置情報取得手段で取得した位置情報に基づいて監視範囲情報を生成できる監視範囲生成手段と、前記監視範囲情報を前記管理装置に発信する監視範囲情報発信手段と、前記位置情報取得手段が取得した位置情報を前記管理装置に発信する位置情報発信手段と、を有し、前記管理装置は、前記監視範囲情報発信手段で発信される監視範囲情報を受信する監視範囲情報受信手段と、前記監視範囲情報受信手段で受信された前記監視範囲情報を格納する監視範囲情報格納手段と、前記位置情報発信手段から発信される位置情報を受信する位置情報受信手段と、  前記位置情報受信手段で受信された前記位置情報を、前記監視範囲情報格納手段内の監視範囲情報と比較し、前記位置情報を前記監視範囲情報に対する関係で判断する監視範囲判断手段と、前記監視範囲判断手段で判断された前記位置情報が前記監視範囲情報に対して所定の位置関係にあることに基づき第３の異常信号を生成する第３の異常信号生成手段と、を有し、前記管理装置の前記異常信号通知手段が、前記第３の異常信号を前記信号受信端末装置に対し発信する構成となっていることを特徴とする監視システムである。
【００１０】
前記構成によれば、前記監視端末装置が、位置情報を取得する位置情報取得手段と、前記位置情報取得手段で取得した位置情報に基づいて監視範囲情報を生成できる監視範囲生成手段と、前記監視範囲情報を前記管理装置に発信する監視範囲情報発信手段と、を有する。
また、前記管理装置は、前記監視範囲情報発信手段で発信される監視範囲情報を受信する監視範囲情報受信手段と、前記監視範囲情報受信手段で受信された前記監視範囲情報を格納する監視範囲情報格納手段と、を有する。
このため、前記監視端末装置は、自己の位置情報に基づいて監視範囲情報（例えば半径５００ｍ等）を生成でき、このように生成された監視範囲情報を前記管理装置の前記監視範囲情報格納手段に登録することができる。
【００１１】
また、前記監視端末装置は、前記位置情報取得手段が取得した位置情報を前記管理装置に発信する位置情報発信手段と、を有している。
そして、前記管理装置は、前記位置情報発信手段から発信される位置情報を受信する位置情報受信手段と、前記位置情報受信手段で受信された前記位置情報を、前記監視範囲情報格納手段内の監視範囲情報と比較し、前記位置情報を前記監視範囲情報に対する関係で判断する監視範囲判断手段と、前記監視範囲判断手段で判断された前記位置情報が前記監視範囲情報に対して所定の位置関係にあることに基づき第３の異常信号を生成する第３の異常信号生成手段と、を有している。
【００１２】
さらに、前記管理装置の前記異常信号通知手段が、前記第３の異常信号を前記信号受信端末装置に対し発信する構成となっている。
このため、例えば自動車等に配置された前記監視端末装置が動いても、前記位置情報取得手段が逐次位置情報を前記管理装置に発信するので、前記管理装置は、前記監視端末装置に位置を正確に認識することができる。
さらに、前記管理装置の前記監視範囲判断手段が、当該位置情報が前記監視範囲情報と所定の位置関係（例えば監視範囲外であるか否か等）にあることを判断する。そして、所定の位置関係（例えば監視範囲外）であると判断した場合は、前記第３の異常信号を生成して、例えば自動車の所有者等の前記信号受信端末装置に異常を通知することになる。
【００１３】
したがって、特定に位置情報、例えば自動車の駐車位置から任意の範囲内（例えば半径５００ｍ）を監視範囲として設定することで、その範囲外に前記監視端末装置が移動した場合は、異常として通知することができる。すなわち、監視すべき所定の範囲であるゾーン等を自在に設定できるので、利用者のニーズに合致した監視システムとすることができる。
【００１４】
好ましくは、前記監視端末装置には、当該監視端末装置を監視対象とすべきか否かの監視開始等信号を生成し、発信する監視開始等信号発信等手段が設けられ、前記管理装置には、前記監視開始等信号を受信し監視開始や監視終了等を判断し指示する監視開始等信号処理手段が設けられていることを特徴とする監視システムである。
【００１５】
前記構成によれば、前記監視端末装置には、当該監視端末装置を監視対象とすべきか否かの監視開始等信号を生成し、発信する監視開始等信号発信等手段が設けられ、  前記管理装置には、前記監視開始等信号を受信し監視開始等を判断し指示する監視開始等信号処理手段が設けられている。
このため、前記監視端末装置の前記監視開始等信号発信等手段が前記監視開始や監視終了等の信号を発信し、この信号を前記管理装置が受信し、前記監視端末装置の監視開始や監視終了等を前記監視開始等信号処理手段で処理する構成となっている。
したがって、例えば自動車に配置されている前記監視端末装置から前記管理装置に対して監視開始や監視終了の信号を発信することで、監視を希望する期間を自由に設定することができる。
【００１６】
好ましくは、前記監視開始等信号発信等手段には、パスワード入力手段及び／または鍵挿入手段が設けられていることを特徴とする監視システムである。
【００１７】
前記構成によれば、前記監視開始等信号発信等手段には、パスワード入力手段及び／または鍵挿入手段が設けられているので、パスワードを知っており、若しくは鍵を有している者のみが、前記監視システムを稼働させることができる。
したがって、第３者は、容易に前記監視システムの監視終了の信号を管理装置に送信することができないので、より精度良く監視システムを稼働させることができる。
【００１８】
前記目的は、本発明によれば、監視対象に配置される監視端末装置と信号の授受を行い、信号受信端末装置に異常信号を発信する管理装置であって、前記管理装置は、前記監視端末装置からの検知信号を受信する検知信号受信手段と、前記検知信号受信手段で受信した前記検知信号に基づき第１の異常信号を生成する第１の異常信号生成手段と、前記監視端末装置に対し前記呼び出し信号を発信する呼び出し信号発信手段と、前記監視端末装置からの前記応答信号を受信する応答信号受信手段と、前記応答信号受信手段で受信可能な前記応答信号の有無を判断する応答信号判断手段と、前記応答信号判断手段で前記応答信号が非受信と判断されたことに基づき第２の異常信号を生成する第２の異常信号生成手段と、前記第１及び前記第２の異常信号生成手段で生成された前記第１及び前記第２の異常信号を前記信号受信端末装置に対し発信する異常信号通知手段と、を有することを特徴とする管理装置により達成される。
【００１９】
前記構成によれば、上述の監視システムと同様の作用、効果を奏する。
【００２０】
前記目的は、本発明によれば、監視対象に配置される前記監視端末装置が異常検知手段で異常を検知する異常検知工程と、前記監視端末装置の検知信号発信手段が、この異常検知工程で検知した検知信号を前記管理装置に発信する検知信号発信工程と、前記管理装置の検知信号受信手段が前記検知信号を受信する検知信号受信工程と、前記管理装置の第１の異常信号生成手段が、この検知信号受信工程で受信した前記検知信号に基づき第１の異常信号を生成する第１の異常信号生成工程と、前記管理装置の異常通信通知手段が第１の異常信号生成手段で生成された第１の異常信号を信号受信端末装置に発信する第１の異常信号通知工程と、前記管理装置の呼び出し信号発信手段が前記監視端末装置に対し前記呼び出し信号を発信する呼び出し信号発信工程と、前記監視端末装置の呼び出し信号受信手段が前記管理装置の呼び出し信号を受信する呼び出し信号受信工程と、前記監視端末装置の応答信号生成発信手段が前記呼び出し信号に対応する応答信号を生成し、この応答信号を前記管理装置に発信する応答信号生成発信工程と、前記管理装置の応答信号受信手段が前記応答信号を受信する応答信号受信工程と、前記管理装置の前記応答信号判断手段が前記応答信号受信手段で受信可能な前記応答信号の有無を判断する応答信号判断工程と、前記管理装置の第２の異常信号生成手段が、前記応答信号判断手段で前記応答信号が非受信と判断されたことに基づき第２の異常信号を生成する第２の異常信号生成工程と、前記管理装置の前記異常信号通知手段が前記第２の異常信号生成手段で生成された前記第２の異常信号を前記信号受信端末装置に対し発信する第２の異常信号通知工程と、を有することを特徴とする監視方法により達成される。
【００２１】
前記構成によれば、上述の監視システムと同様の作用、効果を奏する。
【００２２】
前記目的は、本発明によれば、前記監視端末装置の位置情報取得手段が位置情報を取得する位置情報取得工程と、前記監視端末装置の監視範囲生成手段が前記位置情報取得工程で取得した位置情報に基づいて監視範囲情報を生成する監視範囲生成工程と、前記監視端末装置の監視範囲情報発信手段が前記監視範囲情報を前記管理装置に発信する監視範囲情報発信工程と、前記管理装置の監視範囲情報受信手段が、前記監視範囲情報発信工程で発信される監視範囲情報を受信する監視範囲情報受信工程と、前記管理装置の監視範囲情報格納手段が、前記監視範囲情報受信工程で受信された前記監視範囲情報を格納する監視範囲情報格納工程と、前記監視端末装置の位置情報発信手段が前記位置情報取得手段が取得した位置情報を前記管理装置に発信する位置情報発信工程と、前記管理装置の位置情報受信手段が、前記位置情報発信工程で発信する位置情報を受信する位置情報受信工程と、前記管理装置の監視範囲判断手段が、前記位置情報受信工程で受信された前記位置情報を、前記監視範囲情報格納手段内の監視範囲情報と比較し、前記位置情報を前記監視範囲情報に対する関係で判断する監視範囲判断工程と、前記管理装置の第３の異常信号生成手段が、前記監視範囲判断工程で判断された前記位置情報が前記監視範囲情報に対して所定の位置関係にあることに基づき第３の異常信号を生成する第３の異常信号生成工程と、を有することを特徴とする監視方法により達成される。
【００２３】
前記構成によれば、上述の監視システムと同様の作用、効果を奏する。
【００２４】
前記目的は、本発明によれば、監視対象に配置される監視端末装置と信号の授受を行い、信号受信端末装置に異常信号を発信する管理装置の制御方法であって、前記管理装置の検知信号受信手段が、前記監視端末装置からの検知信号を受信する検知信号受信工程と、前記管理装置の第１の異常信号生成手段が、前記検知信号受信工程で受信した前記検知信号に基づき第１の異常信号を生成する第１の異常信号生成工程と、前記管理装置の異常信号通知手段が、前記第１の異常信号生成手段で生成された前記第１の異常信号を前記信号受信端末装置に対し発信する第１の異常信号通知手段と、前記管理装置の呼び出し信号発信手段が、前記監視端末装置に対し前記呼び出し信号を発信する呼び出し信号発信工程と、前記管理装置の応答信号受信手段が、前記監視端末装置からの前記応答信号を受信する応答信号受信工程と、前記管理装置の応答信号判断手段が、前記応答信号受信工程で受信可能な前記応答信号の有無を判断する応答信号判断工程と、前記管理装置の第２の異常信号生成手段が、前記応答信号判断工程で前記応答信号が非受信と判断されたことに基づき第２の異常信号を生成する第２の異常信号生成工程と、前記管理装置の異常信号通知手段が、前記第２の異常信号生成工程で生成された前記第２の異常信号を前記信号受信端末装置に対し発信する第２の異常信号通知工程と、を有することを特徴とする管理装置の制御方法により達成される。
【００２５】
前記構成によれば、前記構成によれば、上述の管理装置と同様の作用、効果を奏する。
【００２６】
前記目的は、本発明によれば、コンピュータに、監視対象に配置される前記監視端末装置の異常検知手段が異常を検知する異常検知工程と、前記監視端末装置の検知信号発信手段が、この異常検知工程で検知した検知信号を前記管理装置に発信する検知信号発信工程と、前記管理装置の検知信号受信手段が前記検知信号を受信する検知信号受信工程と、前記管理装置の第１の異常信号生成手段が、この検知信号受信工程で受信した前記検知信号に基づき第１の異常信号を生成する第１の異常信号生成工程と、前記管理装置の異常通信通知手段が第１の異常信号生成手段で生成された第１の異常信号を信号受信端末装置に発信する第１の異常信号通知工程と、前記管理装置の呼び出し信号発信手段が前記監視端末装置に対し前記呼び出し信号を発信する呼び出し信号発信工程と、前記監視端末装置の呼び出し信号受信手段が前記管理装置の呼び出し信号を受信する呼び出し信号受信工程と、前記監視端末装置の応答信号生成発信手段が前記呼び出し信号に対応する応答信号を生成し、この応答信号を前記管理装置に発信する応答信号生成発信工程と、前記管理装置の応答信号受信手段が前記応答信号を受信する応答信号受信工程と、前記管理装置の前記応答信号判断手段が前記応答信号受信手段で受信可能な前記応答信号の有無を判断する応答信号判断工程と、前記管理装置の第２の異常信号生成手段が、前記応答信号判断手段で前記応答信号が非受信と判断されたことに基づき第２の異常信号を生成する第２の異常信号生成工程と、前記管理装置の前記異常信号通知手段が前記第２の異常信号生成手段で生成された前記第２の異常信号を前記信号受信端末装置に対し発信する第２の異常信号通知工程と、を実行させるための監視プログラムにより達成される。
【００２７】
前記構成によれば、上述の監視方法と同様の作用、効果を奏する。
【００２８】
前記目的は、本発明によれば、コンピュータに、監視対象に配置される監視端末装置と信号の授受を行い、信号受信端末装置に異常信号を発信する管理装置の制御方法であって、前記管理装置の検知信号受信手段が、前記監視端末装置からの検知信号を受信する検知信号受信工程と、前記管理装置の第１の異常信号生成手段が、前記検知信号受信工程で受信した前記検知信号に基づき第１の異常信号を生成する第１の異常信号生成工程と、前記管理装置の異常信号通知手段が、前記第１の異常信号生成手段で生成された前記第１の異常信号を前記信号受信端末装置に対し発信する第１の異常信号通知手段と、前記管理装置の呼び出し信号発信手段が、前記監視端末装置に対し前記呼び出し信号を発信する呼び出し信号発信工程と、前記管理装置の応答信号受信手段が、前記監視端末装置からの前記応答信号を受信する応答信号受信工程と、前記管理装置の応答信号判断手段が、前記応答信号受信工程で受信可能な前記応答信号の有無を判断する応答信号判断工程と、前記管理装置の第２の異常信号生成手段が、前記応答信号判断工程で前記応答信号が非受信と判断されたことに基づき第２の異常信号を生成する第２の異常信号生成工程と、前記管理装置の異常信号通知手段が、前記第２の異常信号生成工程で生成された前記第２の異常信号を前記信号受信端末装置に対し発信する第２の異常信号通知工程と、を実行させるための管理装置の制御プログラムにより達成される。
【００２９】
前記構成によれば、上述の管理装置の制御方法と同様の作用、効果を奏する。
【００３０】
前記目的は、本発明によれば、コンピュータに、監視対象に配置される前記監視端末装置の異常検知手段が異常を検知する異常検知工程と、
前記監視端末装置の検知信号発信手段が、この異常検知工程で検知した検知信号を前記管理装置に発信する検知信号発信工程と、前記管理装置の検知信号受信手段が前記検知信号を受信する検知信号受信工程と、前記管理装置の第１の異常信号生成手段が、この検知信号受信工程で受信した前記検知信号に基づき第１の異常信号を生成する第１の異常信号生成工程と、前記管理装置の異常通信通知手段が第１の異常信号生成手段で生成された第１の異常信号を信号受信端末装置に発信する第１の異常信号通知工程と、前記管理装置の呼び出し信号発信手段が前記監視端末装置に対し前記呼び出し信号を発信する呼び出し信号発信工程と、  前記監視端末装置の呼び出し信号受信手段が前記管理装置の呼び出し信号を受信する呼び出し信号受信工程と、前記監視端末装置の応答信号生成発信手段が前記呼び出し信号に対応する応答信号を生成し、この応答信号を前記管理装置に発信する応答信号生成発信工程と、前記管理装置の応答信号受信手段が前記応答信号を受信する応答信号受信工程と、前記管理装置の前記応答信号判断手段が前記応答信号受信手段で受信可能な前記応答信号の有無を判断する応答信号判断工程と、前記管理装置の第２の異常信号生成手段が、前記応答信号判断手段で前記応答信号が非受信と判断されたことに基づき第２の異常信号を生成する第２の異常信号生成工程と、前記管理装置の前記異常信号通知手段が前記第２の異常信号生成手段で生成された前記第２の異常信号を前記信号受信端末装置に対し発信する第２の異常信号通知工程と、を実行させるための監視プログラムを記録したコンピュータ読み取り可能な記録媒体により達成される。
【００３１】
前記構成によれば、監視プログラムと同様の作用、効果を奏する。
【００３２】
前記目的は、本発明によれば、コンピュータに、監視対象に配置される監視端末装置と信号の授受を行い、信号受信端末装置に異常信号を発信する管理装置の制御方法であって、前記管理装置の検知信号受信手段が、前記監視端末装置からの検知信号を受信する検知信号受信工程と、前記管理装置の第１の異常信号生成手段が、前記検知信号受信工程で受信した前記検知信号に基づき第１の異常信号を生成する第１の異常信号生成工程と、前記管理装置の異常信号通知手段が、前記第１の異常信号生成手段で生成された前記第１の異常信号を前記信号受信端末装置に対し発信する第１の異常信号通知手段と、前記管理装置の呼び出し信号発信手段が、前記監視端末装置に対し前記呼び出し信号を発信する呼び出し信号発信工程と、前記管理装置の応答信号受信手段が、前記監視端末装置からの前記応答信号を受信する応答信号受信工程と、前記管理装置の応答信号判断手段が、前記応答信号受信工程で受信可能な前記応答信号の有無を判断する応答信号判断工程と、前記管理装置の第２の異常信号生成手段が、前記応答信号判断工程で前記応答信号が非受信と判断されたことに基づき第２の異常信号を生成する第２の異常信号生成工程と、前記管理装置の異常信号通知手段が、前記第２の異常信号生成工程で生成された前記第２の異常信号を前記信号受信端末装置に対し発信する第２の異常信号通知工程と、を実行させるための管理装置の制御プログラムを記録したコンピュータ読み取り可能な記録媒体により達成される。
【００３３】
前記構成によれば、上述の管理装置の制御プログラムと同様の作用、効果を奏する。
【００３４】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００３５】
図１は、本発明の監視システムの実施の形態である盗難監視システム１０を示す概略図である。
図１に示すように、盗難監視システム１０は、監視対象である例えば自動車１１に配置される監視端末装置である例えば盗難監視端末１００を有している。
また、盗難監視システム１０は、盗難監視端末１００と信号の授受を行う管理装置である例えば盗難監視サーバ２００を有している。
具体的には、図１に示すように基地局１２を介して電話回線で盗難監視端末１００と盗難監視サーバ２００とが通信可能に接続されている。
さらに、盗難監視システム１０は、盗難監視サーバ２００からの異常信号を受信する信号受信端末装置である例えば自動車１１の所有者（甲）の携帯電話３０００を有している。
具体的には、携帯電話３００は、図１に示すように基地局１２を介して電話回線で盗難監視サーバ２００と通信可能に接続されている。
そして、盗難監視端末１００は、図１に示すように、盗難監視端末本体１１０と、異常を検知する異常検知手段である例えば振動センサ１５０とを有している。
【００３６】
異常検知手段は、車両に加わる振動を検出して警報を発する振動センサ１５０のみならず、傾きセンサ（ジャッキアップ等による車両の傾きで警報を発する）、赤外線センサ（車両に対する人間の接近等により警報を発する）、圧力センサ（車両のドアを開けることによって生ずる車内の圧力変化で警報を発する）でもよい。
また、他に超音波センサやバッテリ電圧監視センサ（ドアを開けることによって室内灯が点灯し、このときの僅かなバッテリ変化を検出して警報を発する）でもよい。以下、説明の便宜のため振動センサ１５０を例に説明する。
【００３７】
（盗難監視端末１００等のハードウエア構成等について）
図２は盗難監視端末１００の主なハードウエア構成を示す概略図である。
図２に示すように盗難監視端末本体１１０には、例えばコンピュータ等を有しており、コンピュータは、バス１１１を有しており、このバス１１１に、ＣＰＵ（Ｃｅｎｔｒａｌ  Ｐｒｏｃｅｓｓｉｎｇ  Ｕｎｉｔ）１１２、ＲＡＭ（Ｒａｎｄｏｍ  Ａｃｃｅｓｓ  Ｍｅｍｏｒｙ）１１３、ＲＯＭ（Ｒｅａｄ  Ｏｎｌｙ  Ｍｅｍｏｒｙ）１１４、ハードディスク１２７等が配置されている。
そして、このコンピュータには、盗難監視端末１００が基地局１２を介して盗難監視サーバ２００と通信するための無線装置１１６やＧＰＳ装置１１７が接続されている。
また、コンピュータには、ディスプレイ等の表示装置１１８やキーボード等の入力装置１１９、そして、振動センサ１５０が接続されている。
したがって、コンピュータが上述の各装置等の動作等を制御等する構成となっている。
【００３８】
すなわち、このバス１１１はすべてのデバイスを接続する機能を有し、アドレスやデータパスを有する内部パスである。
ＣＰＵ１１２は所定のプログラムの処理を行う他、バス１１１に接続されたＲＯＭ１１４等を制御している。ＲＯＭ１１４は、各種プログラムや各種情報等を格納している。
ＲＡＭ１１３は、プログラム処理中のメモリの内容を対比したり、プログラムを実行するためのエリアとしての機能を有する。
ところで、ＧＰＳ装置１１７は、位置情報を取得する位置情報取得手段の一例であって、このＧＰＳ（Ｇｌｏｂａｌ  Ｐｏｓｉｔｉｏｎｉｎｇ  Ｓｙｓｔｅｍ）装置１１７は、図１のＧＰＳ衛星１３ａ乃至１３ｄからの信号を受信することで自己位置の緯度、経度及び高度等に位置情報を取得する装置となっている。
【００３９】
（盗難監視サーバ２００等のハードウエア構成等について）
図３は盗難監視サーバ２００の主なハードウエア構成等を示す概略図である。図３に示すように、盗難監視サーバ２００はコンピュータを有しており、コンピュータは、盗難監視端末１００と同様に、バス１１１、ＣＰＵ１１２、ＲＡＭ１１３、ＲＯＭ１１４、ハードディスク１２７等が配置されている。
また、このコンピュータには、盗難監視サーバ２００が基地局１２を介して盗難監視端末１００と通信するための無線装置１１６や表示装置１１８、入力装置１１９が接続されている。
【００４０】
（盗難監視端末１００等のソフトウエア構成等について）
図４は、盗難監視端末１００のソフトウエア構成等を示す概略図である。
図４に示すように、盗難監視端末１００は、図２の振動センサ１５０を制御するセンサ制御部１５１を有している。
また、盗難監視端末１００は、振動センサ１５０の位置信号を盗難監視サーバ２００に発信する検知信号発信手段である例えばセンサ信号発信部１２０を有している。
このセンサ信号発信部１２０は、センサ制御部１５１からのセンサ信号を受信するセンサ信号受領部１２１を有している。また、センサ信号発信部１２０は、センサ信号受領部１２１で受領したセンサ信号を盗難監視サーバ２００に対し発信するセンサ信号発信部１２３を有している。
このセンサ信号は、具体的には、図２の無線装置１１６によって発信される。
【００４１】
また、盗難監視端末１００は、盗難監視サーバ２００の呼び出し信号を受信する呼び出し信号受信手段である例えば呼び出し信号受信部１３０と、この呼び出し信号に対応する応答信号を生成し、この応答信号を盗難監視サーバ２００に発信する応答信号生成発信手段である例えば応答信号生成発信部１４０と、を有している。
この応答信号生成発信部１４０は、図４に示すように、呼び出し信号受信部１３０と接続されている呼び出し信号判定部１４１を有している。この呼び出し信号判定部１４１は、呼び出し信号データベース１４１ａを備えており、呼び出し信号受信部１３０で受信された呼び出し信号を、呼び出し信号データベース１４１ａ内の呼び出し信号と比較して判断する構成となっている。
【００４２】
また、応答信号生成発信部１４０には、応答信号データベース１４２ａを備える応答信号生成部１４２が設けられ、呼び出し信号判定部１４１で呼び出し信号として判断された信号に応答する応答信号を生成する。
この応答信号を生成する際に、応答信号データベース１４２ａを参照する。
また、応答信号生成発信部１４０には、応答信号発信部１４３が設けられ、応答信号生成部１４２で生成された応答信号を盗難監視サーバ２００へ送信する構成となっている。
この応答信号の送信は、具体的には図２の無線装置１１６により行われる。
【００４３】
また、図４に示すように、ＧＰＳ装置１１７には、ＧＰＳ装置１１７の動作を制御するＧＰＳ装置制御部１１７ａを有している。このＧＰＳ装置制御部１１７ａは、図１のＧＰＳ衛星１３ａ等からの信号を受信するＧＰＳ衛星信号受信部１１７ｂと、ＧＰＳ装置１１７が取得した位置情報を盗難監視サーバ２００に発信する位置情報発信手段である例えば位置情報発信部１１７ｃとに接続され、それぞれの動作等を制御する構成となっている。
この位置情報発信部１１７ｃは、具体的には図２の無線装置１１６により位置情報を盗難監視サーバ２００に送信している。
【００４４】
また、図４に示すように、盗難監視端末１００には、ＧＰＳ装置１１７で取得した位置情報（例えば緯度、経度及び高度等の情報）に基づいて監視範囲情報を生成できる監視範囲生成手段である例えば監視範囲生成部１４４を有している。この監視範囲生成部１４４は、地図データベース１４４ｂを備える監視ゾーン形成部１４４ａを有しており、この監視ゾーン形成部１４４ａは、地図データベース１４４ｂの地図情報と、前記位置情報により、地図上に監視ゾーンを形成することができる構成となっている。
また、この監視ゾーン形成部１４４ａは、図２の表示装置１１８を制御する表示部１１８ａと、図２の入力装置１１９を制御するゾーン入力部１１９ａとを有している。
したがって、操作者はディスプレイを見ながらキーボード等を操作して、任意の監視範囲を設定できる構成となっている。
【００４５】
また、盗難監視端末１００は、監視ゾーン形成部１４４ａで設定した監視範囲情報を盗難監視サーバ２００へ図２の無線装置１１６で発信する監視範囲情報発信手段である例えば監視ゾーン発信部１４５を有している。
【００４６】
そして、盗難監視端末１００には、当該盗難監視端末１００を盗難監視サーバ２００が監視対象とすべきか否かの監視開始等信号を生成し発信する監視開始等信号発信等手段である例えば監視開始等信号生成部１４６と監視開始等信号発信部１４６ａとが設けられている。
また、この監視開始等信号生成部１４６には、パスワード入力手段である例えばパスワード入力部１４６ｂが設けられている。
具体的には、図３の入力装置１１９によりパスワードが入力され、入力されたパスワードが正しいか否かを監視開始等信号生成部１４６が判断し、パスワードが正しい場合は、監視開始等信号発信部１４６ａから監視開始等信号が図２の無線装置１１６によって盗難監視サーバ２００に発信される構成となっている。
なお、本実施の形態ではパスワードと成っているが、この他に鍵挿入手段等を設け、鍵の操作によって、監視開始等信号を発信させる構成としてもよい。
【００４７】
（盗難監視サーバ２００等のソフトウエアの構成等について）
図５は、盗難監視サーバ２００の主なソフトウエアの構成等を示す概略図である。
図５に示すように、盗難監視サーバ２００は、盗難監視端末１００からのセンサ信号を図３の無線装置１１６で受信するための検知信号受信手段である例えばセンサ信号受信部２０１を有している。
また、盗難監視サーバ２００は、センサ信号受信部２０１で受信したセンサ信号を生成する第１の異常信号を生成する第１の異常信号生成手段である例えば異常信号生成部２０２を有している。
【００４８】
また、盗難監視サーバ２００は、盗難監視端末１００に対し呼び出し信号を図３の無線装置１１６で発信する呼び出し信号発信手段である例えば呼び出し信号発信部２０３を有している。この呼び出し信号発信部２０３は、図５の呼び出し信号生成部２０４で生成された呼び出し信号を盗難監視端末１００に発信する構成となっている。
また、盗難監視サーバ２００は、盗難監視端末１００からの応答信号を図３の無線装置１１６で受信する応答信号受信手段である例えば応答信号受信部２０５を有している。そして、応答信号受信部２０５で受信可能な盗難監視端末１００からの応答信号の有無を判断する応答信号判断手段である例えば応答信号判断部２０６も設けられている。
【００４９】
この応答信号判断部２０６は受信できた応答信号がどの盗難監視端末１００の応答信号であるかを応答信号データベース２０６ａを参照して判断する。
そして、応答信号履歴データベース２０６ｂに履歴情報として登録する。
一方、応答信号を受信できないときは、受信できない応答信号を応答信号データベース２０６ａ及び応答信号履歴データベース２０６ｂ等を参照して特定し、当該受信できない応答信号に対応する図１の携帯電話３００へ発信するための第２の異常信号を、異常信号生成部２０２が生成する。
すなわち、応答信号判断部２０６で応答信号が非受信と判断されたことに基づき前記第２の異常信号を第２の異常信号生成手段である例えば異常信号生成部が生成する。
【００５０】
また、盗難監視サーバ２００は、前記第１及び前記第２の異常信号生成手段である前記異常信号生成部２０２で生成された前記第１及び前記第２の異常信号を図３の無線装置１１６によって図１の携帯電話３００に対し発信する異常信号通知手段である例えば異常信号発信部２０７が設けられている。
【００５１】
また、盗難監視サーバ２００には、図４の監視ゾーン発信部１４５で発信される監視範囲情報を受信する監視範囲情報受信手段である例えば監視ゾーン受信部２０８が配置されている。
具体的には、監視ゾーン受信部２０８は図３の無線装置１１６により監視範囲情報を受信する。
【００５２】
そして、盗難監視サーバ２００は、監視ゾーン受信部２０８で受信された監視範囲情報を格納する監視範囲情報格納手段である例えば監視ゾーンデータベース２０９を有している。
また、盗難監視サーバ２００は、監視ゾーン受信部２０８で受信した監視範囲情報を監視ゾーンデータベース２０９に格納するための監視ゾーン処理部２１０を有している。
【００５３】
また、盗難監視サーバ２００は、図４の位置情報発信部１１７ｃから発信される位置情報を受信する位置情報受信手段である例えば位置情報受信部２１１を有している。
具体的には、位置情報受信部２１１は、図３の無線装置１１６により位置情報を受信する。
そして、盗難監視サーバ２００には、位置情報受信部２１１で受信された位置情報を、監視ゾーンデータベース２０９内の前記監視範囲情報と比較し、位置情報を監視範囲情報に対する関係で判断する監視範囲判断手段である例えば監視ゾーン判断部２１２が設けられている。
すなわち、監視ゾーン判断部２１２は、例えば位置情報で特定される緯度、経度及び高度等の情報と、例えば特定の緯度、経度及び高度等を中心とする半径等で定められている監視範囲情報とを比較して、この監視範囲内に前記位置情報が位置するか否かを判断する。
【００５４】
そして、異常信号生成部２０２は、監視ゾーン判断部２１２で判断された位置情報が前記監視範囲情報に対して所定の位置にあることに基づき第３の異常信号を生成する第３の異常信号生成手段である例えば異常信号生成部２０２としても機能する。
具体的には、監視ゾーン判断部２１２は、前記位置情報が例えば監視範囲外に位置すると判断すると、異常信号生成部２０２が第３の異常信号を生成することとなる。
そして、図５の異常信号発信部２０７は、この第３の異常信号を図１の携帯電話３００へ発信する機能も果たしている。
【００５５】
ところで、盗難監視サーバ２００には、図４の盗難監視端末１００の監視開始等信号発信部１４６ａが発信する監視開始等信号を受信し監視開始や監視終了等を判断し指示する監視開始等信号処理手段である例えば、監視開始等信号受信部２１３、監視開始等信号判断部２１４及び端末監視開始等信号データベース２１４ａ等が設けられている。
すなわち、監視開始等信号受信部２１３は、図３の無線装置１１６によって監視開始等信号を受信する。そして、監視開始等信号判断部２１４は、端末監視開始等信号データベース２１４ａ内の情報を参照して、受信した監視開始等信号の発信元の盗難監視端末１００等を判断し、その判断に従い、盗難監視サーバ２００は、当該盗難監視端末１００の監視を開始若しくは終了する構成となっている。
【００５６】
（盗難監視システム１０の動作等について）
盗難監視システム１０は以上のように構成されているが、以下、その動作等について説明する。
本実施の形態では、例えば自動車１１の所有者（甲）が、自己の自動車１１を駐車場（Ｐ）に駐車させ、自動車１１から離れている間に盗難監視システム１０を利用する場合を例として説明する。
【００５７】
（事前ステップについて）
図６は盗難監視システム１０を利用するための事前ステップを示す概略フローチャートである。
先ず、図６のＳＴ１に示すように、盗難監視サーバに監視対象端末を登録する。
すなわち、所有者（甲）は、図１の盗難監視サーバ２００に、自己の自動車１１に搭載している盗難監視端末１１０と振動センサ１５０を特定し得るＩＤ番号等を登録する。
また、盗難監視システム１０が異常を検知した場合の通知先となる携帯電話３００の電話番号等が登録される（図６のＳＴ２）。
このＩＤ番号や電話番号等は図示しないＩＤ番号等データベース等に格納される。
【００５８】
（監視開始ステップ）
次に、図７の監視開始ステップが開始される。図７は、監視開始ステップを示す概略フローチャートである。
図８は、盗難監視端末１００、盗難監視サーバ２００及び携帯電話３００の間の交信状態を示す概略シーケンスチャートである。
図７のＳＴ３に示すように、盗難監視端末にパスワードを入力し稼働させる。
すなわち、自動車１１を駐車場に止め、自動車１１から離れる所有者（甲）が盗難監視システム１０を稼働させたいときに、所有者（甲）が図４のパスワード入力部１４６ｂから所定のパスワードを入力する。
盗難監視端末１００には、予めパスワードが登録されているので、監視開始等信号生成部１４６がパスワードの一致を確認すると、監視開始等信号発信部１４６ａから監視開始信号を盗難監視サーバ２００に発信させることができる。
【００５９】
また、この監視開始等信号発信部１４６ａは、監視終了信号も発信することができる。
このため、所有者（甲）はパスワードを入力することで初めて、盗難監視システム１０を稼働させたり、終了させたりすることができるので、第３者が自動車１１を盗難する際に、容易に盗難監視システム１０の稼働を終了させる信号を盗難監視サーバ２００に送信できず、より精度よく且つ確実に盗難監視システム１０を稼働させることができる。
すなわち、パスワードを知らない第３者は、盗難監視システム１０の稼働の終了信号を盗難監視端末１００から発信させることができないので、第３者が簡単に盗難監視システム１０を終了させることを有効に防ぐことができる。
このように、自動車１１の所有者（甲）は、盗難監視端末１００は監視開始等信号発信部１４６ａから監視開始信号や監視終了信号を発信することで、監視を希望する期間を自由に設定できる。
なお、本実施の形態ではパスワードとしたが、この代わりに、若しくは併せて鍵を用いても構わない。この場合には、パスワード入力部１４６ａの代わりに、若しくは併せて鍵挿入手段が設けられる。
【００６０】
このように、図７のＳＴ４に示すように盗難監視端末１００が盗難監視サーバ２００へ監視開始信号を発信する（図８の（ア）参照）。
次に、図７のＳＴ５に示すように、盗難監視サーバ２００が監視開始等信号を受信する。
具体的には、図５に示す監視開始等信号受信部２１３が監視開始等信号を受信し、監視開始等信号判断部２１４が、端末監視開始等信号データベース２１４ａを参照して、受信された信号がどの盗難監視端末１００の信号かを判断し、図示しない盗難監視サーバ２００の制御部に盗難監視システム１０の稼働を指示する。
【００６１】
これにより、盗難監視端末１００、振動センサ１５０、盗難監視サーバ２００及び携帯電話３００等による盗難監視システム１０が稼働を開始する。
この盗難監視システム１０の動作等は、具体的には、センサ信号ステップ、監視ゾーンステップ及び呼び出し信号ステップ等に分けられるので、それぞれについて説明する。
【００６２】
（センサ信号ステップについて）
図９は、センサ信号ステップを示す概略フローチャートである。
先ず、自動車１１に配置される盗難監視端末１００が振動センサ１５０で異常を検知する異常検知工程が実行される。
すなわち、第３者が自動車１１のドア等を開けるため車体等を揺らすと、図１の振動センサ１５０が振動を検知し、図４のセンサ制御部１５１を介してセンサ信号受領部１２１がセンサ信号を受信し、センサ信号発信部１２３がセンサ信号を発信する（盗難監視端末がセンサ信号を盗難監視サーバへ発信（ＳＴ６）及び図８のセンサ信号発信（イ））。
このＳＴ６が、盗難監視端末１００の振動センサ１５０が、前記異常検知工程で検知した検知信号を盗難監視サーバ２００に発信する検知信号発信工程の一例となる。
【００６３】
次に、盗難監視サーバ２００のセンサ信号受信部２０１がセンサ信号を受信する検知信号受信工程が行われる。
そして、図９のＳＴ７に示すように、盗難監視サーバ２００の異常信号生成部２０２は、前記検知信号受信工程で受信したセンサ信号に基づき第１の異常信号（センサ異常信号）を生成する（第１の異常信号生成工程）。
次に、図９のＳＴ８に示すように、盗難監視サーバが第１の異常信号（センサ異常信号）を携帯電話へ発信する（図８の第１の異常信号（センサ異常信号）発信（ウ））。
すなわち、盗難監視サーバ２００の異常信号発信部２０７が、異常信号生成部２０２で生成された第１の異常信号（センサ異常信号）を該当する自動車１１の所有者（甲）の携帯電話３００へ発信する（第１の異常信号通知工程）。
【００６４】
次に図９のＳＴ９に示すように、携帯電話３００が第１の異常信号（センサ異常信号）を受信する。
これにより、自動車１１の所有者（甲）は自己の自動車１１が盗難等に遭っていること分かるので、盗難監視システム１０は自動車１１の所有者（甲）にその異常を速やかに通知することができる。
【００６５】
（呼び出し信号ステップについて）
図１０は、呼び出し信号ステップを示す概略フローチャートである。
先ず、図１０のＳＴ１０に示すように、盗難監視サーバ２００から呼び出し信号を発信する。
すなわち、これが、図５の盗難監視サーバ２００の呼び出し信号発信部２０３が盗難監視端末１００に対し呼び出し信号を発信する呼び出し信号発信工程の一例となる。
具体的には、図３の呼び出し信号生成部２０４が、呼び出し信号を生成し、呼び出し信号発信部２０３が呼び出し信号を発信する（図８の呼び出し信号発信（エ）。
【００６６】
次に、盗難監視端末１００の図４の呼び出し信号受信部１３０が呼び出し信号を受信する呼び出し信号受信工程が行われる。
そして、図１０のＳＴ１１にように、盗難監視端末から応答信号を盗難監視サーバへ発信する。
すなわち、図４の応答信号生成発信部１４０が呼び出し信号に対応する応答信号を生成し、この応答信号を盗難監視サーバ２００へ発信する応答信号生成発信工程の一例が行われる（図８の応答信号発信（オ））。
具体的には、先ず、図４の応答信号生成発信部１４０の呼び出し信号判定部１４１が呼び出し信号データベース１４１ａを参照し、盗難監視サーバ２００の呼び出し信号と認識する。
そして、応答信号生成部１４２が応答信号データベース１４２ａを参照して応答信号を生成し、応答信号発信部１４３が応答信号を盗難監視サーバ２００へ発信する。
【００６７】
次に、盗難監視サーバ２００の応答信号受信部２０５が応答信号を受信する応答信号受信工程が行われる。
そして、図１０のＳＴ１２に示すように、呼び出し信号に対応する応答信号を受信したか否かを判断する。
すなわち、盗難監視サーバ２００の応答信号判断部２０６が応答信号受信部２０５で受信可能な応答信号の有無を判断する応答信号判断工程の一例が行われる。
具体的には、呼び出し信号に対応する応答信号を呼び出し信号の発信の後、一定期間内に受信したか否かを判断する。
そして、呼び出し信号に対応する応答信号を受信すると図５の応答信号履歴データベース２０６ｂに上述の盗難監視端末１００等のＩＤ番号等と関連付けられて格納される。
【００６８】
また、応答信号データベース２０６ａは、発信される呼び出し信号に関する情報を保有している。このため、応答信号が呼び出し信号に添付等して発信されれば、この応答信号データベース２０６ａを参照することで、受信した応答信号が正しいか否かも容易に判断することができる。
【００６９】
一方、盗難監視サーバ２００が、応答信号を一定期間内に受信できない場合は、図１０のＳＴ１３に示すように、盗難監視サーバが第２の異常信号を携帯電話へ発信する（図８の第２の異常信号（応答異常信号）を発信（カ））。
具体的には、先ず、盗難監視サーバ２００の異常信号生成部２０２が、応答信号判断部２０６で応答信号が非受信と判断されたことに基づき第２の異常信号（応答異常信号）を生成する第２の異常信号生成工程の一例が行われる。
すなわち、応答信号判断部２０６が一定期間内に応答信号を受信できない場合は、異常があったと判断して、異常信号生成部２０２が第２の異常信号（応答異常信号）を生成する。
そして、図５の異常信号発信部２０７が、この第２の異常信号（応答異常信号）を対応する携帯電話３００に発信する。これが、第２の異常信号通知工程の一例であり、このように通知されることで自動車１１の所有者（甲）は自己の自動車１１に異常があったことをいち早く知ることができる。
【００７０】
以上のように、盗難監視システム１０は、盗難監視端末１００の振動センサ１５０から異常を検知する信号が盗難監視サーバ２００へ発信されていない場合でも、盗難監視端末１００と盗難監視サーバ２００との間には呼び出し信号と応答信号とで相互に交信している。
したがって、例えば第３者が、自動車１１に近づき、振動センサ１５０が検知しないようにドアを開け、盗難監視端末１００自体を破壊等した場合、従来では、振動センサ１５０が異常を検知した信号が、盗難監視端末１００から盗難監視サーバ２００に発信されないので、自動車１１の所有者（甲）は、その異常に気が付くが遅れ盗難監視システムとしては問題があった。
しかし、本実施の形態の盗難監視システム１０では、第３者が盗難監視端末１００を破壊すると、盗難監視端末１００は盗難監視サーバ２００からの呼び出し信号に対応する応答信号を発信できず、これにより、盗難監視サーバ２００は応答信号の非受信を認識し、第２の異常信号（応答異常信号）を自動車１１の所有者（甲）の携帯電話３００に通知する。
このため、自動車１１の所有者（甲）は、速やかにその異常に気が付くことができので、緻密な監視を行うことができる。
【００７１】
（監視ゾーンステップについて）
図１１は、監視ゾーンステップを示す概略フローチャートである。
ところで、駐車場に到着した自動車１１の所有者（甲）は、自動車１１から離れるに際して、盗難監視システム１０を稼働させることができる。
この場合は、図７のＳＴ３乃至ＳＴ５の動作の後、以下の動作を行う。
先ず、図１１のＳＴ１４に示すように、盗難監視端末が位置情報を取得する。すなわち、盗難監視端末１００のＧＰＳ装置１１７が位置情報（緯度、経度及び高度等）を取得する（位置情報取得工程の一例）。
具体的には、所有者（甲）は、図４のＧＰＳ衛星信号受信部１１７ｂで信号を受信し、ＧＰＳ装置制御部１１７ａで緯度、経度及び高度等の位置情報を生成する。
【００７２】
そして、図１１のＳＴ１５に示すように、盗難監視端末が盗難監視範囲情報を生成する。
すなわち、盗難監視端末１００の監視範囲生成部１４４が前記位置情報に基づき監視範囲情報を生成する（監視範囲生成工程の一例）。
具体的には、監視範囲生成部１４４の監視ゾーン形成部１４４ａは、地図データベース１４４ｂと前記位置情報に基づき、監視範囲情報を生成する。
より具体的には、所有者（甲）は、ゾーン入力部１１９ａを操作して、表示部１１８ａに表示された地図上の前記位置情報を中心に例えば半径５００ｍ等の監視範囲を設定する。
【００７３】
次に、図１１のＳＴ１６に示すように、監視範囲情報は監視ゾーンデータベースに格納される。
具体的には、先ず、上述のように生成された監視範囲情報は、監視ゾーン発信部１４５によって、図１の基地局１２を介して、盗難監視サーバ２００に発信される。
これは、盗難監視端末１００の監視ゾーン発信部１４５が監視範囲情報を盗難監視サーバ２００に発信する監視範囲情報発信工程の一例である。
次に、盗難監視サーバ２００の監視ゾーン受信部２０８が前記監視範囲情報を受信する（監視範囲情報受信工程の一例）。
そして、盗難監視ゾーン２００の監視ゾーンデータベース２０９が受信した監視範囲情報を格納する（監視範囲情報格納工程の一例）。
すなわち、盗難監視サーバ２００では、図５に示す監視ゾーン受信部２０８が前記監視範囲情報を受信し、監視ゾーン処理部２１０により監視ゾーンデータベース２０９に上述の盗難監視端末１００等のＩＤ番号等と関連付けられて格納される。
【００７４】
以上により、盗難監視サーバ２００の監視ゾーンデータベース２０９への監視範囲情報（特定の位置の半径５００ｍ）の登録が終了し、自動車１１の所有者（甲）は盗難監視システム１０を動作させて自動車１１を離れる。
次に、図１１のＳＴ１７に示すように、盗難監視端末が現在位置情報を盗難監視サーバへ発信する（図８の現在位置情報発信（キ））。
これは、盗難監視端末１００の位置情報発信部１１７ｃがＧＰＳ装置１１７が取得した位置情報（緯度、経度及び高度等）を盗難監視サーバ２００へ発信する位置情報発信工程の一例である。
【００７５】
そして、盗難監視ゾーン２００の図５に示す位置情報受信部２１１が前記位置情報を受信する（位置情報受信工程の一例）。
さらに、図１１のＳＴ１８に示すように、現在位置情報が監視ゾーンの内側に在るか否かを判断する。
すなわち、盗難監視サーバ２００の監視ゾーン判断部２１２が、受信した位置情報を、監視ゾーンデータベース２０９内の監視範囲情報（半径５００ｍ等）と比較し、受信した位置情報が監視範囲情報に対する関係で判断、具体的には半径５００ｍの監視範囲の内側にあるか否かを判断する（監視範囲判断工程の一例）。
【００７６】
この監視ゾーン判断部２１２の判断で、位置情報が監視範囲情報（半径５００ｍ等）に対して所定の位置関係（監視範囲外等）にあることに基づき、異常信号生成部２０２が第３の異常信号（移動異常信号）を生成する（第３の異常信号（移動異常信号）生成工程の一例）。
すなわち、自動車１１は第３者によって移動された場合で、半径５００ｍ内を越えて移動された場合は、異常と判断して異常信号を生成する。
そして、図１１のＳＴ１９に示すように盗難監視サーバが第３の異常信号（移動異常信号）を携帯電話へ発信する（図８の第３の異常信号（移動異常信号）（ク））。
すなわち、図５の異常信号発信部２０７が第３の異常信号（移動異常信号）を自動車１１の所有者（甲）の携帯電話３００に発信するので、所有者（甲）は直ちに自己の自動車１１の異常を知ることができる。
【００７７】
このように、監視ゾーンステップによれば、自動車１１の所有者（甲）は、任意の大きさの監視範囲情報を生成でき、この監視範囲情報に基づいて盗難監視システム１０を稼働させることできるので、使い勝手のよい盗難監視システム１０となる。
また、盗難監視サーバ２００は盗難監視端末１００の位置情報を定期的または不定期に取得するので盗難監視端末１００の正確な位置を把握することができるので、例えば監視範囲外に盗難監視端末１００が出た場合は、直ちに速やかに、その異常の発生を判断できるので、精度の高い盗難監視システム１０となっている。
【００７８】
（プログラム及びコンピュータ読み取り可能な記録媒体等について）
コンピュータに上述の動作例の異常検知工程、検知信号発信工程、検知信号受信工程、第１の異常信号生成工程、第１の異常信号通知工程、呼び出し信号発信工程、呼び出し信号受信工程、応答信号生成発信工程、応答信号判断工程、第２の異常信号生成工程、第２の異常信号通知工程等を実行させるための監視プログラム等とすることができる。
また、このような監視プログラム等を記録したコンピュータ読み取り可能な記録媒体とすることもできる。
【００７９】
これら監視プログラムをコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  ＶｅｒｓａｔｉｌｅＤｉｓｃ）などのパッケージメディアのみならず、プログラムが一時的若しくは永続的に格納される半導体メモリ、磁気ディスクあるいは光磁気ディスクなどで実現することができる。
【００８０】
本発明は、上述の各実施の形態に限定されない。さらに、上述の各実施の形態は、相互に組み合わせて構成するようにしてもよい。
【図面の簡単な説明】
【図１】本発明の監視システムの実施の形態である盗難監視システムを示す概略図である。
【図２】盗難監視端末の主なハードウエア構成を示す概略図である。
【図３】盗難監視サーバの主なハードウエア構成等を示す概略図である。
【図４】盗難監視端末のソフトウエア構成等を示す概略図である。
【図５】盗難監視サーバの主なソフトウエアの構成等を示す概略図である。
【図６】盗難監視システムを利用するための事前ステップを示す概略フローチャートである。
【図７】監視開始ステップを示す概略フローチャートである。
【図８】盗難監視端末、盗難監視サーバ及び携帯電話の間の交信状態を示す概略シーケンスチャートである。
【図９】センサ信号ステップを示す概略フローチャートである。
【図１０】呼び出し信号ステップを示す概略フローチャートである。
【図１１】監視ゾーンステップを示す概略フローチャートである。
【符号の説明】
１０・・・盗難監視システム、１１・・・自動車、１２・・・基地局、１３ａ乃至１３ｄ・・・ＧＰＳ衛星、１００・・・盗難監視端末、１１０・・・盗難監視端末本体、１１１・・・バス、１１２・・・ＣＰＵ、１１３・・・ＲＡＭ、１１４・・・ＲＯＭ、１１５・・・ハードディスク、１１６・・・無線装置、１１７・・・ＧＰＳ装置、１１７ａ・・・ＧＰＳ装置制御部、１１７ｂ・・・ＧＰＳ衛星信号受信部、１１７ｃ・・・位置情報発信部、１１８・・・表示装置、１１８ａ・・・表示部、１１９・・・入力装置、１１９ａ・・・ゾーン入力部、１２０・・・センサ信号発信部、１２１・・・センサ信号受領部、１２３・・・センサ信号発信部、１３０・・・呼び出し信号受信部、１４０・・・応答信号生成発信部、１４１・・・呼び出し信号判定部、１４１ａ・・・呼び出し信号データベース、１４２・・・応答信号生成部、１４２ａ・・・応答信号データベース、１４３・・・応答信号発信部、１４４・・・監視範囲生成部、１４４ａ・・・監視ゾーン形成部、１４４ｂ・・・地図データベース、１４５・・・監視ゾーン発信部、１４６・・・監視開始等信号生成部、１４６ａ・・・監視開始等信号発信部、１４６ｂ・・・パスワード入力部、１５０・・・振動センサ、１５１・・・センサ制御部、２００・・・盗難監視サーバ、２０１・・・センサ信号受信部、２０２・・・異常信号生成部、２０３・・・呼び出し信号発信部、２０４・・・呼び出し信号生成部、２０５・・・応答信号受信部、２０６ａ・・・応答信号データベース、２０６ｂ・・・応答信号履歴データベース、２０７・・・異常信号発信部、２０８・・・監視ゾーン受信部、２０９・・・監視ゾーンデータベース、２１０・・・監視ゾーン判断部、２１１・・・位置情報受信部、２１２・・・監視ゾーン判断部、２１３・・・監視開始等信号受信部、２１４・・・監視開始等信号判断部、２１４ａ・・・端末監視開始等信号データベース
【図１】
2004240574.tif 000003
【図２】
2004240574.tif 000004
【図３】
2004240574.tif 000005
【図４】
2004240574.tif 000006
【図５】
2004240574.tif 000007
【図６】
2004240574.tif 000008
【図７】
2004240574.tif 000009
【図８】
2004240574.tif 000010
【図９】
2004240574.tif 000011
【図１０】
2004240574.tif 000012
【図１１】
2004240574.tif 000013